(57)【要約】  照明システム（１００）が、少なくとも１つの属性を備えた光を提供するよう構成された少なくとも１つの制御可能な光源（１２５）と、少なくとも１つの画像を表現するよう構成された画像表現装置（１３５）と、選択された属性に一致する画像を選択するよう構成されたシステム制御装置（１１０）とを有する。システム制御装置（１１０）は、種々の光属性、例えば種々の光度又は輝度レベルと関連した少なくとも１つのスクリプトを受け取り、スクリプトに従う光属性の変化に応答して画像を変更するよう構成されているのが良い。
2009519489.tif 000002
【特許請求の範囲】
【請求項１】
照明システム（１００）であって、
少なくとも１つの属性を備えた光を提供するよう構成された少なくとも１つの制御可能な光源（１２５）と、
複数の画像を表現するよう構成された画像表現装置（１３５）と、
前記少なくとも１つの属性の選択されたレベルに一致する前記複数の画像のうちの１つを選択するよう構成されたシステム制御装置（１１０）とを有する、照明システム（１００）。
【請求項２】
前記少なくとも１つの制御可能な光源（１２５）を制御するよう構成された入力装置（１０５）を更に有し、前記入力装置（１０５）は、回転可能なスイッチ、摺動可能なスイッチ、タッチスクリーン、ボイス起動モジュール、サウンド起動モジュール、キーボード、マウス、及びリモートコントローラのうちの少なくとも１つを含む、請求項１記載の照明システム（１００）。
【請求項３】
前記システム制御装置（１１０）は、前記少なくとも１つの属性の前記レベルのそれぞれと関連した少なくとも１つのスクリプトを受け取り、前記少なくとも１つのスクリプトに従う前記レベルの変化に応答して前記複数の画像を変化させるよう構成されている、請求項１記載の照明システム（１００）。
【請求項４】
前記システム制御装置（１１０）は、更に、ユーザが前記少なくとも１つのスクリプトのそれぞれを選択できるよう構成されている、請求項３記載の照明システム（１００）。
【請求項５】
前記少なくとも１つの属性は、光度、色彩、色相、及び彩度のうちの少なくとも１つを含む、請求項１記載の照明システム（１００）。
【請求項６】
前記システム制御装置（１１０）に接続可能であり、ユーザが前記複数の画像のそれぞれを前記選択されたレベルのそれぞれに関連付けることができるようにするユーザインターフェイスを更に有する、請求項１記載の照明システム（１００）。
【請求項７】
前記システム制御装置（１１０）は更に、現在表示されている画像の露出を所定の時間間隔に制限すること及び前記現在表示されている画像を別の画像に変更することのうち少なくとも一方を行うよう構成されている、請求項１記載の照明システム（１００）。
【請求項８】
前記システム制御装置（１１０）は、ユーザの入力及び環境のパラメータのうちの少なくとも１つに基づく入力装置（１０５）からの信号を、更にパーズされてプール内に収集される所定のフラグメントに変換するよう構成されており、前記フラグメントは、前記システム制御装置（１１０）によって更に処理されて動的コンテンツ出力を生じさせ、その結果、前記少なくとも１つの画像が動的に変更される、請求項１記載の照明システム（１００）。
【請求項９】
イメージングシステム（１００）であって、
低レベル条件、高レベル条件、及び前記低レベル条件と前記高レベル条件との間の中間レベル条件を提供するよう構成された入力装置（１０５）と、
前記低レベル条件、前記高レベル条件、及び前記中間レベル条件に応答して画像を表現するよう構成された画像表現装置（１３５）とを有し、前記低レベル条件に応答する低レベル画像は、低光度を有し、前記高レベル条件に応答する高レベル画像は、前記低光度よりも高い光度を有する、イメージングシステム（１００）。
【請求項１０】
前記中間レベル条件のうちの１つに応答する中間レベル画像は、前記低光度と前記高光度との間の中間光度を有する、請求項９記載のイメージングシステム（１００）。
【請求項１１】
前記中間光度は、前記低レベル条件から前記中間レベル条件のうちの１つの中間条件に変えられている前記入力装置（１０５）に応答して前記低光度から増大し、前記中間光度は、前記高レベル条件から前記中間レベル条件のうちの１つの中間条件に変えられている前記入力装置（１０５）に応答して前記高光度から減少する、請求項１０記載のイメージングシステム（１００）。
【請求項１２】
少なくとも１つの画像を表示する方法であって、
少なくとも１つの光源（１２５）を制御して少なくとも１つの属性を備えた光を提供するステップと、
前記少なくとも１つの属性の選択されたレベルに一致する少なくとも１つの画像を選択するステップと、
前記少なくとも１つの画像を表現するステップとを有する、方法。
【請求項１３】
前記少なくとも１つの属性の前記レベルのそれぞれと関連した少なくとも１つのスクリプトを受け取るステップと、
前記少なくとも１つのスクリプトに従う前記レベルの変化に応答して前記複数の画像を変更するステップとを更に有する、請求項１２記載の方法。
【請求項１４】
ユーザが前記少なくとも１つのスクリプトのそれぞれを選択することができるようにするステップを更に有する、請求項１２記載の方法。
【請求項１５】
ユーザが前記複数の画像のそれぞれを前記レベルのそれぞれに関連させることができるようにするステップを更に有する、請求項１２記載の方法。
【請求項１６】
現在表示されている画像の露出を所定の時間間隔に制限するステップと、
前記現在表示されている画像を別の画像に変更するステップとを更に有する、請求項１２記載の方法。
【請求項１７】
コンピュータにより読み取り可能なコードが具現化された、コンピュータにより読み取り可能な媒体であって、
前記コンピュータにより読み取り可能なコードは、実行時、
光源からの光の少なくとも１つの属性のレベルのそれぞれと関連した少なくとも１つのスクリプトを受け取るステップ、及び
前記少なくとも１つのスクリプトに従う前記レベルの変化に応答して表現される画像を変更するステップを含む、コンピュータにより読み取り可能な媒体。
【請求項１８】
ユーザが前記少なくとも１つのスクリプトのそれぞれを選択することができるようにするステップを更に含む、請求項１７記載のンピュータにより読み取り可能な媒体。
【請求項１９】
ユーザが前記画像のそれぞれを前記レベルのそれぞれに関連させることができるようにするステップを更に含む、請求項１７記載のンピュータにより読み取り可能な媒体。
【請求項２０】
現在表示されている画像の露出を所定の時間間隔に制限するステップと、
前記現在表示されている画像を別の画像に変更するステップとを更に含む、請求項１７記載のンピュータにより読み取り可能な媒体。
【請求項２１】
制御システム（１００）であって、
最小位置及び最大位置を含む複数の位置を備えた入力装置（１０５）と、
前記複数の位置に応答して互いに異なる画像を表現するよう構成された画像表現装置（１３５）とを有し、前記互いに異なる画像のうちの第１の画像は、前記最大位置に応答して表現された第１のシーンを含み、前記互いに異なる画像のうちの第２の画像は、前記最小位置に応答して表現された第２のシーンを含み、
前記第１のシーンは、高光度と関連し、前記第２のシーンは、前記高光度よりも低い光度と関連している、制御システム（１００）。
【請求項２２】
前記入力装置（１０５）は、前記最小位置と前記最大位置との間の中間位置を更に有し、前記画像表現装置（１３５）は更に、前記中間位置と関連した日時に一致するよう前記互いに異なる画像を変更するよう構成されている、請求項２１記載の照明システム（１００）。
【請求項２３】
前記複数の位置と関連した少なくとも１つの属性を備える光を提供するよう構成された少なくとも１つの制御可能な光源（１２５）を更に有する、請求項２１記載の照明システム（１００）。
【発明の詳細な説明】
【技術分野】
【０００１】
本発明は、照明システム及び照明方法、特にプライベートルーム並びに公共の場所、例えば列車及びバスステーション、空港、飛行機、バス、列車、船舶、劇場及び他の娯楽施設等に人工の雰囲気を創出するシステム及び方法に関する。
【背景技術】
【０００２】
エジソンによる照明用の電球の発明以来、照明システムは、人々の日常の生活においてもはや昔に逆戻りできない部分になっている。現代社会においては、照明システムは、絶えず開発され続けている。
【０００３】
先行技術は、照明システムの多くの改良例を提供している。例えば、米国特許出願公開第２００５／００４１１６１号公報は、ビデオディスプレイ及び照明機器を含む娯楽（ゲーム）系の方法及び装置を開示しており、この場合、コンピュータビデオディスプレイは、装置構造の必要な部分である。なお、この特許文献を参照により援用し、その開示内容全体を本明細書の一部とする。照明システム用のスクリーンは、照明システムによって生じる照明を反射することができるような仕方で提供される。
【０００４】
別の米国特許出願公開第２００５／００２３９９６号明細書は、少なくとも１つの入力装置から制御信号を受け取るプロセッサと、プロセッサが制御信号に基づいて出力信号を生じさせることができるようにするコンピュータ関連プログラムコードと、プロセッサと関連していて、多数の照明器具を調節する調節器のうちの少なくとも１つを構成するインターフェイスとを有する制御システムを記載しており、この特許文献を参照により援用し、その記載内容全体を本明細書の一部とする。この米国特許出願公開明細書は、照明を薄暗くして壁に投影された芸術を見やすくするシーン制御を可能にするために、「例えば、大きな部屋の中の照明を共有雰囲気から壁上への芸術の上映に変化させる」ために使用できるということを記載している。
【０００５】
国際公開第０１／０５１９５号パンフレットによって提供される別の解決策は、もっぱら、照明順序の創出及び設計のためのシステム及び方法に関し、かかるシステム及び方法は、プロセッサと、多くの照明ユニットを制御する照明制御装置によって実行可能な多数の照明順序から成る場合があるプログラムを作成するソフトウェアインターフェイスとを有し、この特許文献を参照により援用し、その記載内容全体を本明細書の一部とする。照明順序は、メモリに記憶されていて、照明効果を表すオブジェクトから組み立てられ、又は、アナログ、ディジタル、マニュアル又は別の外部源、例えばユーザ、センサ、サウンドレベル検出装置、ＲＦ若しくはＩＲ信号、照明システムからのフィードバックからの入力を含む場合がある。
【０００６】
先行技術は又、国際公開第０２／０９２１８３号パンフレットに開示されたリアルワールド表示システムを提供しており、このリアルワールド表示システムは、各々が１つ又は２つ以上のパラメータ、例えば、オーディオ特性及びビジュアル特性を提供する１組のマーク付け言語割り込み可能装置を有し、この特許文献を参照により援用し、その開示内容全体を本明細書の一部とする。マーク付け言語割り込み可能装置は、種々の表示、照明、オーディオ及び暖房装置と、表示機能を備えた壁及び床と、アニマトロニック（animatronic）機器、電子機器及びロボット機器と、インタラクティブピクチャとを含む場合がある。これら装置のうちの少なくとも１つは、マーク付け言語から成る命令セットの形態をしたリアルワールド記述を受け取ることができ、これら装置は、記述に従って動作される。リアルワールド記述は、ブロードキャスト信号、ウェブリンク等を介して装置に伝達される。これら装置は、これら装置の物理的パラメータを調整する一種の制御装置（これは、国際公開第０２／０９２１８３号パンフレットでは、「調整手段」と呼ばれている）を更に含む。装置は、記述の読み取りを可能にするブラウザ部分によって提供される。この国際公開パンフレットは、「リアルワールド記述が〈ＦＯＲＥＳＴ〉、〈ＳＵＭＭＥＲ〉、〈ＥＶＥＮＩＮＧ〉となっている場合、ブラウザ部分は、・・・これを色調及び輝度レベルに関連した特定の命令に解釈する」ことを教示している。
【発明の開示】
【発明が解決しようとする課題】
【０００７】
また、照明レベルは、人の健康、感情及び気分に影響を及ぼすことが知られてる。例えば、光療法は、特に人が太陽光にあまり当たっていない期間の間、気分を高めると共に憂鬱さを緩和するために用いられる。特定の波長／光度の光源が用いられることが通例である。さらに、照明は、所望の機能及び美観並びに健康上の利益、例えば目の疲労の軽減及び気分の向上を提供するために家庭及び商業ビル、例えば、小売店を含むインテリア設計において必要不可欠になっている。
【０００８】
美観は、特に人の直観から引き出されるということに注目すべきである。したがって、照明の所望の物理的特性と、太陽、空、緑の葉及び他の自然の現象の画像に関連する場合の多い人による日光の知覚とを組み合わせるような仕方で人工照明システムを設計することがますます重要になっている。
【０００９】
上述の全ての解決策及び多くの他の解決策では、従来型照明システムは、これらの主要な機能、即ち、或る特定のレベル、色及び形態の提供を実行している。照明度を調節する多くの形式の手動、電子及び他の入力装置が存在する。
【課題を解決するための手段】
【００１０】
人工雰囲気を創出する直観的なやり方及びその物理的実現化のためのシステムを提供することが望ましい。したがって、人工雰囲気をもたらす照明システムが提供され、この場合、照明レベルは、それぞれの或る特定の画像、所望に応じてオーディオを含む太陽、空等のスチル（静止）又はストリーミングビデオに対応している。画像は、特定の照明レベルが生じ又は変更されたのと同時に又は単にスイッチ／画像制御装置位置が変更されたときに、適当な表示手段（例えば、天井、床、壁、モニタスクリーン等）上に投影され又は表示される。
【００１１】
かかる照明システム及び方法は、或る特定の照明レベルが各々、表示された望ましい又は所望の画像、例えば、太陽、月、青い空、緑の葉、花、鳥、山、丘、滝及び自然の他の画像及び（又は）エンドユーザにより選択され提供される個人的な画像又は他の画像に対応している場合、ユーザにとって良好な美的効果及び健康上の効果を生じさせることができるという見識に基づいている。本明細書において説明する画像又はピクチャは、所望に応じてオーディオを更に含む場合がある１つの又は一連の静止画像／ピクチャ及び（又は）ストリーミングビデオを含むことは理解されるべきである。
【００１２】
一例を挙げると、シーンの画像は、日中も太陽光のそれぞれの段階を再現する好ましくは互いに異なる輝度を備えた画像並びに自然の現象、例えば、空、月光、緑の植物、鳥、水源、種々の地球上の風景等の他の画像内における種々の座標位置における太陽の画像を含む。画像をスクリプトのリストの形態又は別の形態でメモリ（ハードドライブ、チップ、カード等）に記憶するのが良い。
【００１３】
適当な入力装置、例えば回転可能な若しくは摺動可能なノブ若しくはスイッチ又は例えば光レベル及び（又は）表示された画像の変更のために用いられるハードウェア、ソフトウェア若しくはファームウェアにより具体化される任意他のユーザインターフェイスが提供され、かかるユーザインターフェイスとしては、グラフィカルユーザインターフェイスが挙げられ、このグラフィカルユーザインターフェイスは、例えばスタンドアロン型であっても良く、任意形式の適当な制御装置又はディスプレイの一部、例えばコンピュータの一部、携帯型情報端末（ＰＤＡ）の一部、遠隔制御装置の一部であって良く、或いはこれらと関連するものであっても良い。例えば、ユーザインターフェイスは、タッチスクリーン、キーボード、マウス等であっても良い。照明／画像システムは、入力装置からの信号に応答して光レベルを変更し、実質的にそれと同時に、選択されたレベル、例えば選択された光レベル又は選択された画像と関連した画像を表示するよう構成されている。例えば、画像は、光／画像レベルと関連したスクリプトによって選択されて制御でき、また、この場合、特定の光／画像レベルの設定の結果として、スクリプトに従う特定の光／画像レベルと関連した画像が表示される。エンドユーザは、特定のスクリプトを選択して特定の画像を特定の光／画像レベルに関連付けることができ（例えば、ユーザによりセットアップされた回転又は回転可能又は摺動可能なノブの位置を調節することにより設定される）、したがって、光／画像レベルの提供又は選択に応答して、所望の関連画像が表示されるようになっている。
【００１４】
本発明の利用可能性の別の分野は、以下に提供される詳細な説明から明らかになろう。詳細な説明及び特定の例は、本発明の例示の実施形態を示しているが、説明の目的のために過ぎず、本発明の範囲を限定するものではないことは理解されるべきである。本発明の装置及び方法の上述の特徴、観点及び利点並びに他の特徴、観点及び利点は、以下の説明、特許請求の範囲及び添付の図面から良く理解されよう。
【発明を実施するための最良の形態】
【００１５】
或る特定の例示の実施形態についての以下の説明は、性質上例示に過ぎず、本発明の内容、その利用分野又は用途を限定するものではない。
【００１６】
上述したように、光レベルがエンドユーザにとって望ましい画像に対応する場合、ユーザにとって良好な美的及び健康上の効果を作ることができ、かかる画像は、ユーザによって提供され又はあらかじめ定められた組をなす画像からユーザによって選択できる。スクリプトが、画像を種々の光／画像レベルに関連付けるために用いられる。エンドユーザは、互いに異なるスクリプト若しくは互いに異なる画像を選択でき、又はスクリプト並びに関連の画像及び光／画像レベルを所望に応じて改変できる。一例を挙げると、高い照明レベルは、輝いている太陽、明るい青空及び他のそれぞれの画像を含む太陽が照り輝く日のピクチャに対応する。低レベルから増大した中間照明レベルは、例えば日の出に相当する場合があり、照明レベルの増大と実質的に同時に又はその後、画像又はそのレベルの変更、例えば、太陽の画像が一層輝く真昼の位置に向かう太陽の運動が生じる。中間照明レベルは、高いレベルからの光／画像レベルの減少によって達成された場合、例えば、日没及び（又は）日没位置に向かう太陽の運動に相当する場合がある。低い照明レベルは、月の光が湖面上に当たり、星が見える夜の空に相当している場合がある。当然のことながら、多くの種々の組をなす画像が、職業設計者によって設計され又は創作されて消費者に提供される場合がある。当然のことながら、消費者は又、所望の画像を提供して画像又はこれらのレベルを任意所望の光／画像レベルに関連付けることができる。
【００１７】
図１は、照明及び人工雰囲気の創出のためのシステム１００の実施形態を示している。システム１００は、システム制御装置１１０と連絡状態にあり、光／画像レベルの変更のために用いられる手動スイッチ、回転可能なノブ、スライダ又は任意他のユーザインターフェイスによって制御できる入力装置１０５を有し、かかる入力装置としては、例えば、タッチスクリーン、キーボード、マウス、そしてマイクロホン、タイマ及びセンサ、光をオン又はオフにする運動センサを含むその他が挙げられる。さらに、入力装置１０５は、グラフィカルユーザインターフェイスを含む場合があり、かかるグラフィカルユーザインターフェイスは、システム制御装置１１０と関連したスタンドアロン型装置であっても良く、或いは、ディスプレイ、例えばコンピュータ、ＰＤＡ、遠隔制御装置等であっても良い。
【００１８】
例えば、ユーザ入力に応答して又は部屋の中の居住検出時若しくはタイマによる起動時に、入力装置１０５は、例えばユーザによって選択された光／画像レベル又はあらかじめ設定されたレベルを表す選択信号１１５を出す。選択信号１１５は、ランプ制御装置１２０に提供されて光源又はランプ１２５、例えば照明器具内のランプの照明レベル及び照明構成を選択し又は制御する。
【００１９】
選択信号１１５は、照明源１２５から出る光の種々の属性を制御すると共に画像表現装置１３５によって所望の画像又は画像レベルを表示するために使用できる。光源１２５は、任意形式の光源、例えば白熱型、蛍光型、高輝度放電（ＨＩＤ）型並びに発光ダイオード（ＬＥＤ）であるのが良い。ランプ制御装置１２０は、例えば、幾つかの又は全ての光源１２５と関連しているのが良く、更に、任意形式の制御装置、例えば当該技術分野において周知である或る特定の形式のランプのための安定器であるのが良い。ランプ制御装置１２０は、入力装置１０５、例えば回転可能又は摺動可能なノブの一部であって良く、かかるノブは、ノブの運動に応答して光度（光の強さ）レベルを変化させるよう構成されている。ランプ制御装置１２０は、ＬＥＤが種々の属性の光を提供するのに好適である場合、ランプ１２５から放出された光の種々の属性、例えば光度、色、色相、彩度等を制御する照明信号１３０を出すように構成されている。
【００２０】
選択信号１１５に応答して、ランプ制御装置１２０は、ランプ１２５から出る光属性を変化させるために照明信号１３０をランプ１２５に送る。単純化のために、光属性を光のレベル又は強さ（光度）と称するが、理解されるべきこととして、任意の光属性を変更し又は制御することができる。さらに、１つのランプ制御装置及び１つのランプと称する場合、１つのランプ制御装置は、２個以上のランプを制御することができ又は数個のランプ制御装置は、数個のランプ又はランプ群を制御するために使用でき、この場合、スクリプトは、ランプ制御装置のうちの所望の１つと関連することは理解されるべきである。当然のことながら、種々のスクリプトを種々のランプ制御装置及びランプと関連させることができ、その結果、例えば、互いに異なる画像を特定のランプ制御装置及び関連ランプと関連したスクリプト及び（又は）画像表現装置１３５に従って種々の表面又はディスプレイ上に表示される。
【００２１】
入力装置１００からの選択信号１１５は又、システム制御装置１１０に提供され、このシステム制御装置は、画像を表面又はディスプレイ装置１５０上に表示する少なくとも１つの表現装置１３５を制御するよう構成されており、かかる制御装置としては、プレイバック装置、ディスプレイ及び（又は）プロジェクタが挙げられる。当然のことながら、２つ以上の表現装置１３５を単一の表現装置に代えて用いることができ、画像は、ネットワーク、例えばインターネット又はイントラネットを含むローカル又はワイドエリアネットワークを介してローカルな又はリモートの記憶装置からダウンロードできる。代替的に又は追加的に、画像を記憶媒体、磁気、ソリッドステート、光又は任意他の形式のメモリ、例えばＤＶＤ上に記憶させることができる。
【００２２】
例えば光／画像強度のレベル又は他の光属性を起動するのと実質的に同時に、システム制御装置１１０は、表現装置１３５を制御して光レベルと関連した画像を表示させる。種々の光／画像レベルと関連した画像を有するスクリプトを用いることができ、この場合、例えば、手動スイッチ、マイクロホン、センサ、タイマ等を含む入力装置１００を介してユーザにより選択された光／画像レベルに応答して、対応の照明レベルに関連付けられた画像又は画像群を表現装置１３５によって表示する。各画像又は画像群は、上述の照明レベルの範囲内にある所定の照明レベルと関連したあらかじめ設計された組から選択できる。
【００２３】
システム制御装置１１０と関連したユーザインターフェイス１１２は、１つ又は２つ以上のスクリプトを選択すると共に１つ又は２つ以上のスクリプトを１つのライト１２５又は１つのライト１２５又は一群をなすライト１２５の光／画像レベル及び（又は）１つ又は種々のランプ制御装置１２０及び（又は）システム制御装置１１０によって制御される表現装置１３５に関連させる種々のスクリプトのメニューをユーザに提供するよう構成されているのが良い。ユーザインターフェイス１１２及び（又は）システム制御装置１１０は又、ユーザのスクリプトを変更し若しくは書き換え又は新しいスクリプトを作って任意所望の画像を任意の光／画像レベルに関連させることができるよう構成されているのが良い。当然のことながら、ユーザインターフェイス１１２は、入力装置１０５又はスタンドアロン型ユニットの一部であって良く、かかるスタンドアロン型ユニットとしては、例えば、ディスプレイが挙げられ、かかるディスプレイは、タッチセンサ、キーボード、マウス、遠隔制御装置、ＰＤＡ等であるのが良い。
【００２４】
図１に示すように、システム制御装置１１０は、プログラムを記憶したメモリ１４０と連絡状態にあり、かかるプログラムは、スクリプトの形態で提供でき（又は、変形例として、ダウンロード可能なJava（登録商標） appletとして又は異なる技術を用いて若しくは別のプログラミング言語で書かれた）、この場合、各スクリプトは、或る特定の画像又は画像群と関連している。システム制御装置１１０は、必要とされるデータを記憶するそれ自体のメモリ（例えば、ＲＯＭ、ＲＡＭ等）、例えば当該技術分野において周知である作動システムを有するのが良い。当然のことながら、代替的に又は追加的に、幾つかのスクリプトをオーディオ表現装置又は組み合わせ型オーディオ／ビデオ表現装置を介して表現された一連のサウンド、例えば水のさざ波の音、鳥のさえずり等に関連させても良い。スクリプトを適当なコンピュータチップ、カードに記憶し、データベース等を用いて有利に組織化された画像化ファイルとしてハードドライブに記憶し若しくはメモリ１４０への記憶に加えて又はこれに代えてウェブサイト上に記憶しても良い。システム制御装置１１０は、ユーザに（例えば入力装置１０５の一部又は別個のユニットであって良い関連のユーザインターフェイス１２０を介して）プログラム選択手段及び（又は）変更手段を与えてユーザが対応のランプ１１５の対応の光／画像レベルを備えた画像を有するスクリプトを選択し、変更し又は創出することができるように構成されているのが良い。
【００２５】
照明信号１３０及び選択信号１１５は、或る特定の照明レベルを確立するための各一連の照明信号が、最終的に或る特定の画像又は画像群若しくは画像レベルに相当する或る特定の種類（又は一連の）選択信号に実質的に関連する（又は、ユーザによって関連可能である）ように生じる。
【００２６】
次に、所定の又は選択されたスクリプトをシステム制御装置１１０によって解釈し、特定の光／画像レベルに相当する画像（又は画像群）を画像表現装置１３５によって表現し、ディスプレイ装置１５０、例えば、モニタスクリーン又は画像を部屋の壁、床及び（又は）天井に投影するプロジェクタを介してユーザに示される。画像表現装置１３５は、プロセッサ又はシステム制御装置１１０によって実行されるプログラムの出力を、ディスプレイ装置１５０が画像を表示し、又は画像をプライベートルーム内又は公共の場所に配置された天井、床、壁又は特定のスクリーン上で見えるように投影することができるようにする適当なディスプレイ制御信号に変換するインターフェイスを有する。表示は、例えば、入力装置１００を介してユーザにより入力された所望の照明レベルの照明を光源１２５によって生じさせることと実質的に同時に行われる。
【００２７】
別の実施形態では、選択信号１１５は、例えば、入力装置１０５から受け取った選択信号１１５と関連していて、入力装置１０５の一部であり又はこれとは別体であって良いタイマを介してユーザにより作り出されたタイマ信号を含むのが良い。かかるタイマ信号に応答して、システム制御装置１１０及びかくして画像表現装置１３５は、現在の画像（画像群）の展示を制限することができ又は画像を別の所定の画像（画像群）に変更し若しくは任意所望のやり方で作用することができる。これは、一連の画像の設計に利用でき、かかる設計は、例えば太陽の位置、空の明るさ、太陽の動きに続く花の開閉、日光の種々の段階で異なる鳥の鳴き声等を自動的に（又はユーザの要求に応じて）変化させる。
【００２８】
別の実施形態では、入力装置１０５は、回転可能な又は摺動可能なノブ又はスイッチを作動させる代わりに（又は、これに加えて）入力装置１０５の一部であって良く又はこれとは別体であって良いマイクロホンからユーザボイス指令を受け取っても良く、次に、かかるユーザボイス指令を、入力装置１０５内に設けられた適当な周知の変換手段、例えばボイス認識モジュールによってコンピュータアプリケーション指令の状態に合成するのが良い。一例を挙げると、ボイス指令は、「高」、「中」及び「低」を含む。代替的に又は追加的に、ボイス指令は、光／画像レベルの細かい変化を提供するよう例えば１〜１０の数値であって良く、この場合、例えば、１は、低照明レベルと関連し、１０は、高照明レベルと関連する。ボイスに代えて、入力装置は、光をオンにしたりオフにしたりするようサウンドに応答しても良い。
【００２９】
ボイス指令は、例えばボイス認識モジュールに送られてユーザにより所望される照明レベル（指令に示されるように）制御し又は選択するために選択信号１１５及び照明レベル１３０に影響を及ぼす信号の状態に変換され、この場合、選択信号１１５は、更に所望の／関連の画像表示のための表現装置１３５を制御するシステム制御装置１１０に処理のために送られる。選択信号１１５は又、例えば照明レベルに対応した画像を選択するために任意所望の画像又は画像強度レベルと関連した任意所望の光レベルの選択又は例えばユーザによるスクリプトの選択及び（又は）変更のためにユーザインターフェイス１１２を起動させることができる。これら仕事のうちの幾つかを達成する１つの手法は、国際公開第０２／０９２１８３号パンフレットに開示された上述のリアルワールド表示システムを使用することである。
【００３０】
上述の実施形態は、画像の静的又は動的コンテンツ及び照明順序を提供する。静的コンテンツの場合、コンテンツは、常時、入力装置１０５によって受け取られる指令によって定められた予測可能な仕方で動作する。ユーザの経験を予測不能にすると共に一層刺激あるものにする画像の動的コンテンツ又はこれらの順序を提供できる。例えば、システムは、国際公開第０３／１００５４８号パンフレットに開示されたＸＭＬ系マーク付け言語ドキュメントを生じさせる方法と関連して働くことができる。なお、この特許文献を参照により援用し、その開示内容全体を本明細書の一部とする。本方法は、アクティブなマーク付け言語フラグメントをプール内に収集し、プールに設計し、少なくとも１つの所定の要因（時間、コンテンツ等）を用いてフラグメントを処理し、動的コンテンツをマーク付け言語ドキュメントを作成することによって動的コンテンツを提供する。
【００３１】
かかるフラグメントを確立するため、例えば手動スイッチ、マイクロホン（ユーザボイス指令）、タイマ及びセンサ（室温センサ、開始照明度センサ等）からの入力装置１０５への種々の入力を入力装置１０５により選択信号１１５のうちの特定の選択信号に変換し、更に例えば上述の国際公開第０３／１００５４８号パンフレットに記載されていて、メモリ１４０に記憶されたプログラムに結合されたインターフェイス手段によって入力によってセットアップされる特定の即時パラメータに関連したかかるフラグメントに変換される。上述の方法に従って例えば、コンテンツを所定の要因として有するシステム制御装置１１０によって更にパーズしプールし、そして処理する。その結果、システムは、動的コンテンツドキュメントを生じさせ、かかる動的コンテンツドキュメントは、更に、画像表現装置１３５によって解釈されて表現され、そして表示装置１５０によって動的に変化する画像の形態で表示される。このように、画像の位置、形態、色及び画像それ自体を「オンザフライ（on-the-fly）」で変更して照明レベルに対応した多種多様な再現不能なシーンを生じさせることができる。
【００３２】
ユーザインターフェイス１１２及びシステム制御装置１１０は、特にこの用途向きに設計された個別仕様の単一目的型照明制御パネルであるのが良く、又は、変形例として、ユーザインターフェイス１１２及びシステム制御装置１１０が、所望の照明制御論理を実行するよう必要に応じてプログラムされたパーソナルコンピュータの形態で提供されても良いことは理解されよう。
【００３３】
システム制御装置１１０の作動システム及び他のデータを含むかかるスクリプト又は他のソフトウェアは、当然のことながら、コンピュータにより読み取り可能な媒体、例えば集積チップ、システム制御装置１１０に結合された周辺装置又はメモリ中に格納でき、かかるコンピュータにより読み取り可能な媒体は、本発明に従って働く専用プロセッサを含み又は汎用目的プロセッサであっても良く、この場合、多くの機能のうちのたった１つの機能は、本発明に従って働くよう動作する。プロセッサは、プログラム部分、多数のプログラムセグメントを利用して動作でき又は専用又は多目的集積回路を利用したハードウェアデバイスであっても良い。光／画像制御のために利用される上述のシステムは各々、別のシステムと関連して利用できる。
【００３４】
入力装置１０５は、光源１２５を制御する必要なく、システム制御装置１１０を介して画像表現装置１３５を制御すれば良いだけである。例えばハードウェア、ソフトウェア又はファームウェア実行スイッチの特定の位置を回転させ、摺動させ又はつつくことにより（例えば、任意の位置決め装置、例えばマウス、ポインタ、フィンガを用いて位置決めすることにより又はキーボード又はタッチスクリーンであるのが良いスクリーン等を用いることによって）、例えば、入力装置１０５は、オン状態、オフ状態及びオン状態とオフ状態との間の中間状態を提供するよう構成されているのが良い。
【００３５】
選択されたスイッチ状態に応答して、画像表現装置１３５は、例えばシステム制御装置１１０を介して制御されて例えば特定の強度又は輝度レベルを有する特定の画像を表現する。一例を挙げると、オフ又は低照明レベル状態に応答する第１の画像は、低強度画像、又は第１のシーン、例えば夜のシーン、日の出、日没、星のある夜又はくすぶっている残り火のある暖炉のある画像を含み、オン又は高照明レベル状態に応答した第２の画像は、これよりも高い強度の画像、低強度画像よりも高い画像、又は第２のシーン、例えば日中のシーン、明るい太陽を有する画像、若しくは火が燃えさかっている暖炉の画像を含む。第３の表現された画像（又は多くの中間画像）は、入力装置１０５の中間状態又は位置のうちの１つ（又は多く）に応答するのが良い。中間画像は、低強度と高強度との間の中間強度を有し、又は、中間シーン、例えば入力装置１０５の中間位置又は火炎の強度が変化している又はちらついている暖炉画像と関連した種々の強度（例えば、高い強度よりも日中の遅い方の時間の日中の種々の時期、しかしながら、低い強度よりも日中の早い時期、例えば、朝の薄明又は日没等に相当する時期）を有する種々の位置にある太陽を含む画像を有する。
【００３６】
当然のことながら、低い強度と関連した朝の薄明又は日没ではなく、日の出が、低い強度と関連していても良く、この場合、中間強度及び（又は）シーン（例えば、種々の強度を備えた種々の位置にある太陽）は、高い強度よりも日中の早い方の時間の日中の種々の時期、しかしながら、低い強度よりも日中の遅い時期等、例えば、入力装置１０５の中間位置と関連した日の出等又は火炎の強度が変化している又はちらついている暖炉画像に対応している。
【００３７】
システム制御装置１１０及び入力装置１０５又は雰囲気スイッチは、実際には、入力装置１０５から選択された光レベルと一致した環境変化を実施するよう環境条件、例えば暖房及び（又は）エアコンデショニングを制御するよう構成されているのが良い。かくして、例えば、入力装置１０５が明るい太陽の表示された関連の画像及び（又は）暖炉画像中の燃えさかっている火に加えて明るい光を提供するよう最大まで設定されている場合、暖房システムを高レベル状態にして環境を暖めると共に（或いは）エアコンデショニングを低下させて冷却度を減少させるのが良い。これとは逆に、夜空、日の出／日没又は燃えている木材又は消えつつある燃えさしが残っている暖炉に表示画像を変化させることに加えて、入力装置１０５を例えば低レベルに低下させて低い光強度レベル及び低い温度を提供することに応答して暖房を低レベル状態にする（且つ（或いは）エアコンデショニングを増加させて冷却度を一段と提供する）のが良い。
【００３８】
中間シーン及び（又は）中間強度は、現在の中間条件に先立つ条件で決まる場合がある。例えば、中間状態が増大により低条件から達成されると（即ち、低状態（又は、中間状態よりも低い任意の状態）が中間状態の直前の状態である）、第１の中間画像を表現すると共に（或いは）中間画像の強度が低強度から増大する。同様に、第２の中間画像を表現すると共に（或いは）中間画像の強度は、中間状態が減少により、中間状態よりも高い状態から達成されると高い強度から減少する（例えば、中間状態の直前の状態が、中間状態よりも高い状態である場合）。
【００３９】
最後に、上記説明は、本発明の単なる例示に過ぎず、特許請求の範囲に記載された発明を任意特定の実施形態又は一群の実施形態に限定するものと解されてはならない。かくして、特定の例示の実施形態を参照して本発明を詳細に説明したが、特許請求の範囲に記載された本発明の広い又は意図された精神及び範囲から逸脱することなく実施形態の多くの改造例又は変更例を想到できることも又、理解されるべきである。したがって、明細書及び図面は例示として解されるべきであって、特許請求の範囲に記載された本発明の範囲を限定するものではない。
【００４０】
原文の特許請求の範囲（請求項）の解釈にあたり、次のことが理解されるべきである。
ａ）“comprising”という単語は、所与の請求項に記載された要素又は動作の存在以外の要素又は動作の存在を排除するものではない。
ｂ）要素の前に位置する“ａ”又は“ａｎ”という冠詞は、かかる要素が複数存在することを排除するものではない。
ｃ）請求項に記載された参照符号は、本発明の範囲を限定するものではない。
ｄ）幾つかの“means”は、同一のアイテム又はハードウェア若しくはソフトウェアにより具体化される構造又は機能によって表される場合がある。
ｅ）開示した要素の各々は、ハードウェア部分（例えば、ディスクリート電子回路）、ソフトウェア部分（例えば、コンピュータプログラミング）及びこれらの任意の組み合わせで構成される場合がある。
【図面の簡単な説明】
【００４１】
【図１】本発明による照明及び人工雰囲気の創出のためのシステムの略図である。
【図１】
2009519489.tif 000003
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
照明システム（１００）であって、
少なくとも１つの属性を備えた光を提供するよう構成された少なくとも１つの制御可能な光源（１２５）と、
複数の画像を表現するよう構成された画像表現装置（１３５）と、
前記少なくとも１つの属性の選択されたレベルに一致する前記複数の画像のうちの１つを選択するよう構成されたシステム制御装置（１１０）とを有する、
ことを特徴とする照明システム（１００）。
【請求項２】
前記少なくとも１つの制御可能な光源（１２５）を制御するよう構成された入力装置（１０５）を更に有し、
該入力装置（１０５）は、回転可能なスイッチ、摺動可能なスイッチ、タッチスクリーン、ボイス起動モジュール、サウンド起動モジュール、キーボード、マウス、及びリモートコントローラのうちの少なくとも１つを含む、
請求項１記載の照明システム（１００）。
【請求項３】
前記システム制御装置（１１０）は、前記少なくとも１つの属性の前記レベルのそれぞれと関連した少なくとも１つのスクリプトを受け取り、前記少なくとも１つのスクリプトに従う前記レベルの変化に応答して前記複数の画像を変化させるよう構成されている、
請求項１記載の照明システム（１００）。
【請求項４】
前記システム制御装置（１１０）は、更に、ユーザが前記少なくとも１つのスクリプトのそれぞれを選択できるよう構成されている、
請求項３記載の照明システム（１００）。
【請求項５】
前記少なくとも１つの属性は、光度、色彩、色相、及び彩度のうちの少なくとも１つを含む、
請求項１記載の照明システム（１００）。
【請求項６】
前記システム制御装置（１１０）に接続可能であり、ユーザが前記複数の画像のそれぞれを前記選択されたレベルのそれぞれに関連付けることができるようにするユーザインターフェイスを更に有する、
請求項１記載の照明システム（１００）。
【請求項７】
前記システム制御装置（１１０）は更に、現在表示されている画像の露出を所定の時間間隔に制限すること及び前記現在表示されている画像を別の画像に変更することのうち少なくとも一方を行うよう構成されている、
請求項１記載の照明システム（１００）。
【請求項８】
前記システム制御装置（１１０）は、ユーザの入力及び環境のパラメータのうちの少なくとも１つに基づく入力装置（１０５）からの信号を、更にパーズされてプール内に収集される所定のフラグメントに変換するよう構成されており、前記フラグメントは、前記システム制御装置（１１０）によって更に処理されて動的コンテンツ出力を生じさせ、その結果、前記少なくとも１つの画像が動的に変更される、
請求項１記載の照明システム（１００）。
【請求項９】
イメージングシステム（１００）であって、
低レベル条件、高レベル条件、及び前記低レベル条件と前記高レベル条件との間の中間レベル条件を提供するよう構成された入力装置（１０５）と、
前記低レベル条件、前記高レベル条件、及び前記中間レベル条件に応答して画像を表現するよう構成された画像表現装置（１３５）とを有し、前記低レベル条件に応答する低レベル画像は、低光度を有し、前記高レベル条件に応答する高レベル画像は、前記低光度よりも高い光度を有する、
ことを特徴とするイメージングシステム（１００）。
【請求項１０】
前記中間レベル条件のうちの１つに応答する中間レベル画像は、前記低光度と前記高光度との間の中間光度を有する、
請求項９記載のイメージングシステム（１００）。
【請求項１１】
前記中間光度は、前記低レベル条件から前記中間レベル条件のうちの１つの中間条件に変えられている前記入力装置（１０５）に応答して前記低光度から増大し、前記中間光度は、前記高レベル条件から前記中間レベル条件のうちの１つの中間条件に変えられている前記入力装置（１０５）に応答して前記高光度から減少する、
請求項１０記載のイメージングシステム（１００）。
【請求項１２】
少なくとも１つの画像を表示する方法であって、
少なくとも１つの光源（１２５）を制御して少なくとも１つの属性を備えた光を提供するステップと、
前記少なくとも１つの属性の選択されたレベルに一致する少なくとも１つの画像を選択するステップと、
前記少なくとも１つの画像を表現するステップとを有する、
ことを特徴とする方法。
【請求項１３】
コンピュータにより読み取り可能なコードが具現化された、コンピュータにより読み取り可能な媒体であって、
前記コンピュータにより読み取り可能なコードは、実行時に、
光源からの光の少なくとも１つの属性のレベルのそれぞれと関連した少なくとも１つのスクリプトを受け取るステップ、及び
前記少なくとも１つのスクリプトに従う前記レベルの変化に応答して表現される画像を変更するステップを含む、
コンピュータにより読み取り可能な媒体。
【請求項１４】
制御システム（１００）であって、
最小位置及び最大位置を含む複数の位置を備えた入力装置（１０５）と、
前記複数の位置に応答して互いに異なる画像を表現するよう構成された画像表現装置（１３５）とを有し、前記互いに異なる画像のうちの第１の画像は、前記最大位置に応答して表現された第１のシーンを含み、前記互いに異なる画像のうちの第２の画像は、前記最小位置に応答して表現された第２のシーンを含み、
前記第１のシーンは、高光度と関連し、前記第２のシーンは、前記高光度よりも低い光度と関連している、
ことを特徴とする制御システム（１００）。
【請求項１５】
前記入力装置（１０５）は、前記最小位置と前記最大位置との間の中間位置を更に有し、前記画像表現装置（１３５）は更に、前記中間位置と関連した日時に一致するよう前記互いに異なる画像を変更するよう構成されている、
請求項１４記載の制御システム（１００）。
【請求項１６】
前記複数の位置と関連した少なくとも１つの属性を備える光を提供するよう構成された少なくとも１つの制御可能な光源（１２５）を更に有する、
請求項１４記載の制御システム（１００）。
【国際調査報告】
2009519489.tif 000004
2009519489.tif 000005